(57)【要約】【課題】    通信障害が発生した場合に、複数のインタフェースを容易に切り替えることを目的とする。【解決手段】  無線通信装置において、無線アクセス装置は少なくとも１つの信号受信手段と複数の信号送信手段と複数の信号送信手段を宛先ポート番号に対応させて切り替える信号送信手段切替手段とを備え、無線端末装置は少なくとも１つの信号送信手段と複数の信号受信手段と複数の信号受信手段に対応させて送信元ポート番号を切り替える送信元ポート番号切替手段とを備える、ように構成する。【選択図】          図１
2005086720.tif 000002
【特許請求の範囲】
【請求項１】
無線アクセス装置と無線端末装置とを有する無線通信装置において、
前記無線アクセス装置は、
前記無線端末装置からの信号を受信する少なくとも１つの信号受信手段と、
前記無線端末装置に対して信号を送信する複数の信号送信手段と、
前記複数の信号送信手段を宛先ポート番号に対応させて切り替える信号送信手段切替手段と、
を備え、
前記無線端末装置は、
前記無線アクセス装置に対して信号を送信する少なくとも１つの信号送信手段と、
前記無線アクセス装置からの信号を受信する複数の信号受信手段と、
前記複数の信号受信手段に対応させて送信元ポート番号を切り替える送信元ポート番号切替手段と、
を備える、
ことを特徴とする無線通信装置。
【請求項２】
第１の無線アクセス装置と少なくとも１つの第２の無線アクセス装置と無線端末装置とを有する無線通信装置において、
前記第１の無線アクセス装置は、
前記無線端末装置からの信号を受信する少なくとも１つの信号受信手段と、
前記無線端末装置に対して信号を送信する少なくとも１つの信号送信手段と、
前記少なくとも１つの信号送信手段を宛先ポート番号に対応させて切り替える信号送信手段切替手段と、
を備え、
前記第２の無線アクセス装置は、
前記無線端末装置に対して信号を送信する少なくとも１つの信号送信手段と、
前記少なくとも１つの信号送信手段を宛先ポート番号に対応させて切り替える信号送信手段切替手段と、
を備え、
前記無線端末装置は、
前記第１の無線アクセス装置に対して信号を送信する少なくとも１つの信号送信手段と、
前記第１の無線アクセス装置または第２の無線アクセス装置からの信号を受信する複数の信号受信手段と、
前記複数の信号受信手段に対応させて送信元ポート番号を切り替える送信元ポート番号切替手段と、
を備える、
ことを特徴とする無線通信装置。
【請求項３】
無線アクセス装置と無線端末装置とを有する無線通信装置において、
前記無線アクセス装置は、
前記無線端末装置からの信号を受信する少なくとも１つの信号受信手段と、
前記無線端末装置に対して信号を送信する複数の信号送信手段と、
前記複数の信号送信手段を宛先ＩＰアドレスに対応させて切り替える信号送信手段切替手段と、
を備え、
前記無線端末装置は、
前記無線アクセス装置に対して信号を送信する少なくとも１つの信号送信手段と、
前記無線アクセス装置からの信号を受信する複数の信号受信手段と、
前記複数の信号受信手段に対応させて送信元ＩＰアドレスを切り替える送信元ＩＰアドレス切替手段と、
を備える、
ことを特徴とする無線通信装置。
【請求項４】
第１の無線アクセス装置と少なくとも１つの第２の無線アクセス装置と無線端末装置とを有する無線通信装置において、
前記第１の無線アクセス装置は、
前記無線端末装置からの信号を受信する少なくとも１つの信号受信手段と、
前記無線端末装置に対して信号を送信する少なくとも１つの信号送信手段と、
前記少なくとも１つの信号送信手段を宛先ＩＰアドレスに対応させて切り替える信号送信手段切替手段と、
を備え、
前記第２の無線アクセス装置は、
前記無線端末装置に対して信号を送信する少なくとも１つの信号送信手段と、
前記少なくとも１つの信号送信手段を宛先ＩＰアドレスに対応させて切り替える信号送信手段切替手段と、
を備え、
前記無線端末装置は、
前記第１の無線アクセス装置に対して信号を送信する少なくとも１つの信号送信手段と、
前記第１の無線アクセス装置または第２の無線アクセス装置からの信号を受信する複数の信号受信手段と、
前記複数の信号受信手段に対応させて送信元ＩＰアドレスを切り替える送信元ＩＰアドレス切替手段と、
を備える、
ことを特徴とする無線通信装置。
【請求項５】
無線端末装置と無線通信を行う無線アクセス装置において、
前記無線端末装置からの信号を受信する少なくとも１つの信号受信手段と、
前記無線端末装置に対して信号を送信する複数の信号送信手段と、
前記複数の信号送信手段を宛先ポート番号に対応させて切り替える信号送信手段切替手段と、
を備える、
ことを特徴とする無線アクセス装置。
【請求項６】
無線端末装置と無線通信を行う無線アクセス装置において、
前記無線端末装置に対して信号を送信する少なくとも１つの信号送信手段と、
前記少なくとも１つの信号送信手段を宛先ポート番号に対応させて切り替える信号送信手段切替手段と、
を備える、
ことを特徴とする無線アクセス装置。
【請求項７】
請求項６に記載の無線アクセス装置において、さらに、前記無線端末装置からの信号を受信する少なくとも１つの信号受信手段を備えることを特徴とする無線アクセス装置。
【請求項８】
無線端末装置と無線通信を行う無線アクセス装置おいて、
前記無線端末装置からの信号を受信する少なくとも１つの信号受信手段と、
前記無線端末装置に対して信号を送信する複数の信号送信手段と、
前記複数の信号送信手段を宛先ＩＰアドレスに対応させて切り替える信号送信手段切替手段と、
を備える、
ことを特徴とする無線アクセス装置。
【請求項９】
無線端末装置と無線通信を行う無線アクセス装置において、
前記無線端末装置に対して信号を送信する少なくとも１つの信号送信手段と、
前記少なくとも１つの信号送信手段を宛先ＩＰアドレスに対応させて切り替える信号送信手段切替手段と、
を備える、
ことを特徴とする無線アクセス装置。
【請求項１０】
請求項９に記載の無線アクセス装置において、さらに、前記無線端末装置からの信号を受信する少なくとも１つの信号受信手段を備えることを特徴とする無線アクセス装置。
【請求項１１】
無線アクセス装置と無線通信を行う無線端末装置において、
前記無線アクセス装置に対して信号を送信する少なくとも１つの信号送信手段と、
前記無線アクセス装置からの信号を受信する複数の信号受信手段と、
前記複数の信号受信手段に対応させて送信元ポート番号を切り替える送信元ポート番号切替手段と、
を備える、
ことを特徴とする無線端末装置。
【請求項１２】
少なくとも１つの信号受信手段を備える第１の無線アクセス装置、および少なくとも１つの第２の無線アクセス装置と無線通信を行う無線端末装置において、
前記第１の無線アクセス装置に対して信号を送信する少なくとも１つの信号送信手段と、
前記第１の無線アクセス装置または第２の無線アクセス装置からの信号を受信する複数の信号受信手段と、
前記複数の信号受信手段に対応させて送信元ポート番号を切り替える送信元ポート番号切替手段と、
を備える、
ことを特徴とする無線端末装置。
【請求項１３】
無線アクセス装置と無線通信を行う無線端末装置において、
前記無線アクセス装置に対して信号を送信する少なくとも１つの信号送信手段と、
前記無線アクセス装置からの信号を受信する複数の信号受信手段と、
前記複数の信号受信手段に対応させて送信元ＩＰアドレスを切り替える送信元ＩＰアドレス切替手段と、
を備える、
ことを特徴とする無線端末装置。
【請求項１４】
少なくとも１つの信号受信手段を備える第１の無線アクセス装置、および少なくとも１つの第２の無線アクセス装置と無線通信を行う無線端末装置において、
前記第１の無線アクセス装置に対して信号を送信する少なくとも１つの信号送信手段と、
前記第１の無線アクセス装置または第２の無線アクセス装置からの信号を受信する複数の信号受信手段と、
前記複数の信号受信手段に対応させて送信元ＩＰアドレスを切り替える送信元ＩＰアドレス切替手段と、
を備える、
ことを特徴とする無線端末装置。
【発明の詳細な説明】
【技術分野】
【０００１】
本発明は、高速無線ＬＡＮなどに関し、特に、複数のインタフェースを備える無線通信装置におけるインタフェース切替手段に関する。
【背景技術】
【０００２】
無線アクセス装置と無線端末装置とを有する無線通信装置において通信障害が発生すると、この無線アクセス装置と無線端末装置とは無線通信を行うことが不可能となる。
そこで、従来、無線アクセス装置と無線端末装置とが複数のインタフェースを備える無線通信装置が提案された（特許文献１、非特許文献１参照）。
この従来の無線通信装置は、通信障害が生じた場合、通信障害が生じたインタフェースを通信障害が生じていないインタフェースへ切り替えることにより、通信障害を回避しようとする。
【特許文献１】特開平３−８５９３３号公報
【非特許文献１】松江英明、守倉正博、北篠博史、渡辺和二、斉藤利生、相河聡著、「ユビキタスサービスに向けたワイヤレスアクセス技術」、ＮＴＴ技術ジャーナル、２００２年、Ｖｏｌ．１４，Ｎｏ．６，１２頁
【発明の開示】
【発明が解決しようとする課題】
【０００３】
しかし、上記従来の無線通信装置は、複数のインタフェースを備えているものの、これら複数のインタフェースを容易に切り替える手段を備えていない。
したがって、上記従来の無線通信装置では、通信障害が生じた場合に複数のインタフェースを容易に切り替えることができなかった。
よって、上記従来の無線通信装置では、通信障害を容易に回避することができなかった。
【０００４】
そこで、本発明は、かかる事情に鑑み、通信障害が発生した場合に、複数のインタフェースを容易に切り替えることができる、無線通信装置および無線アクセス装置並びに無線端末装置を提供することを目的とする。
【課題を解決するための手段】
【０００５】
本発明によれば、上記課題は、次の手段によって解決される。
【０００６】
第１の発明は、無線アクセス装置と無線端末装置とを有する無線通信装置において、前記無線アクセス装置は、前記無線端末装置からの信号を受信する少なくとも１つの信号受信手段と、前記無線端末装置に対して信号を送信する複数の信号送信手段と、前記複数の信号送信手段を宛先ポート番号に対応させて切り替える信号送信手段切替手段と、を備え、前記無線端末装置は、前記無線アクセス装置に対して信号を送信する少なくとも１つの信号送信手段と、前記無線アクセス装置からの信号を受信する複数の信号受信手段と、前記複数の信号受信手段に対応させて送信元ポート番号を切り替える送信元ポート番号切替手段と、を備える、ことを特徴とする無線通信装置である。
【０００７】
第２の発明は、第１の無線アクセス装置と少なくとも１つの第２の無線アクセス装置と無線端末装置とを有する無線通信装置において、前記第１の無線アクセス装置は、前記無線端末装置からの信号を受信する少なくとも１つの信号受信手段と、前記無線端末装置に対して信号を送信する少なくとも１つの信号送信手段と、前記少なくとも１つの信号送信手段を宛先ポート番号に対応させて切り替える信号送信手段切替手段と、を備え、前記第２の無線アクセス装置は、前記無線端末装置に対して信号を送信する少なくとも１つの信号送信手段と、前記少なくとも１つの信号送信手段を宛先ポート番号に対応させて切り替える信号送信手段切替手段と、を備え、前記無線端末装置は、前記第１の無線アクセス装置に対して信号を送信する少なくとも１つの信号送信手段と、前記第１の無線アクセス装置または第２の無線アクセス装置からの信号を受信する複数の信号受信手段と、前記複数の信号受信手段に対応させて送信元ポート番号を切り替える送信元ポート番号切替手段と、を備える、ことを特徴とする無線通信装置である。
【０００８】
第３の発明は、無線アクセス装置と無線端末装置とを有する無線通信装置において、前記無線アクセス装置は、前記無線端末装置からの信号を受信する少なくとも１つの信号受信手段と、前記無線端末装置に対して信号を送信する複数の信号送信手段と、前記複数の信号送信手段を宛先ＩＰアドレスに対応させて切り替える信号送信手段切替手段と、を備え、前記無線端末装置は、前記無線アクセス装置に対して信号を送信する少なくとも１つの信号送信手段と、前記無線アクセス装置からの信号を受信する複数の信号受信手段と、前記複数の信号受信手段に対応させて送信元ＩＰアドレスを切り替える送信元ＩＰアドレス切替手段と、を備える、ことを特徴とする無線通信装置である。
【０００９】
第４の発明は、第１の無線アクセス装置と少なくとも１つの第２の無線アクセス装置と無線端末装置とを有する無線通信装置において、前記第１の無線アクセス装置は、前記無線端末装置からの信号を受信する少なくとも１つの信号受信手段と、前記無線端末装置に対して信号を送信する少なくとも１つの信号送信手段と、前記少なくとも１つの信号送信手段を宛先ＩＰアドレスに対応させて切り替える信号送信手段切替手段と、を備え、前記第２の無線アクセス装置は、前記無線端末装置に対して信号を送信する少なくとも１つの信号送信手段と、前記少なくとも１つの信号送信手段を宛先ＩＰアドレスに対応させて切り替える信号送信手段切替手段と、を備え、前記無線端末装置は、前記第１の無線アクセス装置に対して信号を送信する少なくとも１つの信号送信手段と、前記第１の無線アクセス装置または第２の無線アクセス装置からの信号を受信する複数の信号受信手段と、前記複数の信号受信手段に対応させて送信元ＩＰアドレスを切り替える送信元ＩＰアドレス切替手段と、を備える、ことを特徴とする無線通信装置である。
【００１０】
第５の発明は、無線端末装置と無線通信を行う無線アクセス装置において、前記無線端末装置からの信号を受信する少なくとも１つの信号受信手段と、前記無線端末装置に対して信号を送信する複数の信号送信手段と、前記複数の信号送信手段を宛先ポート番号に対応させて切り替える信号送信手段切替手段と、を備える、ことを特徴とする無線アクセス装置である。
【００１１】
第６の発明は、無線端末装置と無線通信を行う無線アクセス装置において、前記無線端末装置に対して信号を送信する少なくとも１つの信号送信手段と、前記少なくとも１つの信号送信手段を宛先ポート番号に対応させて切り替える信号送信手段切替手段と、を備える、ことを特徴とする無線アクセス装置である。
【００１２】
第７の発明は、第６の発明に係る無線アクセス装置において、さらに、前記無線端末装置からの信号を受信する少なくとも１つの信号受信手段を備えることを特徴とする無線アクセス装置である。
【００１３】
第８の発明は、無線端末装置と無線通信を行う無線アクセス装置おいて、前記無線端末装置からの信号を受信する少なくとも１つの信号受信手段と、前記無線端末装置に対して信号を送信する複数の信号送信手段と、前記複数の信号送信手段を宛先ＩＰアドレスに対応させて切り替える信号送信手段切替手段と、を備える、ことを特徴とする無線アクセス装置である。
【００１４】
第９の発明は、無線端末装置と無線通信を行う無線アクセス装置において、前記無線端末装置に対して信号を送信する少なくとも１つの信号送信手段と、前記少なくとも１つの信号送信手段を宛先ＩＰアドレスに対応させて切り替える信号送信手段切替手段と、を備える、ことを特徴とする無線アクセス装置である。
【００１５】
第１０の発明は、第９の発明に係る無線アクセス装置において、さらに、前記無線端末装置からの信号を受信する少なくとも１つの信号受信手段を備えることを特徴とする無線アクセス装置である。
【００１６】
第１１の発明は、無線アクセス装置と無線通信を行う無線端末装置において、前記無線アクセス装置に対して信号を送信する少なくとも１つの信号送信手段と、前記無線アクセス装置からの信号を受信する複数の信号受信手段と、前記複数の信号受信手段に対応させて送信元ポート番号を切り替える送信元ポート番号切替手段と、を備える、ことを特徴とする無線端末装置である。
【００１７】
第１２の発明は、少なくとも１つの信号受信手段を備える第１の無線アクセス装置、および少なくとも１つの第２の無線アクセス装置と無線通信を行う無線端末装置において、前記第１の無線アクセス装置に対して信号を送信する少なくとも１つの信号送信手段と、前記第１の無線アクセス装置または第２の無線アクセス装置からの信号を受信する複数の信号受信手段と、前記複数の信号受信手段に対応させて送信元ポート番号を切り替える送信元ポート番号切替手段と、を備える、ことを特徴とする無線端末装置である。
【００１８】
第１３の発明は、無線アクセス装置と無線通信を行う無線端末装置において、  前記無線アクセス装置に対して信号を送信する少なくとも１つの信号送信手段と、前記無線アクセス装置からの信号を受信する複数の信号受信手段と、前記複数の信号受信手段に対応させて送信元ＩＰアドレスを切り替える送信元ＩＰアドレス切替手段と、を備える、ことを特徴とする無線端末装置である。
【００１９】
第１４の発明は、少なくとも１つの信号受信手段を備える第１の無線アクセス装置、および少なくとも１つの第２の無線アクセス装置と無線通信を行う無線端末装置において、前記第１の無線アクセス装置に対して信号を送信する少なくとも１つの信号送信手段と、前記第１の無線アクセス装置または第２の無線アクセス装置からの信号を受信する複数の信号受信手段と、前記複数の信号受信手段に対応させて送信元ＩＰアドレスを切り替える送信元ＩＰアドレス切替手段と、を備える、ことを特徴とする無線端末装置である。
【発明の効果】
【００２０】
以上説明したように、本発明は、パケットのトランスポート層ヘッダにおけるポート番号あるいはネットワーク層ヘッダにおけるＩＰアドレスに基づいて、複数のインタフェースを切り替える。
したがって、本発明によれば、通信障害が発生した場合に、インタフェースを容易に切り替えることができる。
よって、本発明によれば、無線通信において生じた通信障害を容易に回避することができる。
【発明を実施するための最良の形態】
【００２１】
以下に、添付した図面を参照しつつ、本発明を実施するための最良の形態について説明する。
【実施例１】
【００２２】
図１は、本発明の実施例１に係る無線通信装置を用いた通信システムの一例を示す図である。
【００２３】
図１に示すように、クライアントマシン１には、無線ＬＡＮカード２が接続されている。
無線ＬＡＮカード２は、クライアントマシン１との間でパケットの送受を行う
コンピュータインタフエース３と、無線アクセス装置７との間でパケットの送受を行うＲＦ送受信インタフェース５およびＩＲ受信インタフェース６と、を具備している。
【００２４】
また、無線ＬＡＮカード２は、クライアントマシン１から送信されたパケットの送信元ポート番号の変換および無線アクセス装置７から受信したパケットの宛先ポート番号の変換を行う、ポート番号変換回路４を具備している。
【００２５】
無線アクセス装置７は、無線ＬＡＮカード２との間でパケットの送受を行うＲＦ送受信インタフェース８およびＩＲ送信インタフェース９を具備している。
【００２６】
無線アクセス装置７は、ＬＡＮ／ＷＡＮへの接続を行うネットワークインタフェース１０を具備している。
【００２７】
また、無線アクセス装置は、宛先ポート番号に応じてパケットの送信インタフェースの切替えを行う送信インタフェース切替回路１１を具備している。
【００２８】
ここで、サーバマシン１２のＩＰアドレスをＭ、クライアントマシン１のＩＰアドレスをＮする。また、サーバマシン１２におけるアプリケーションのポート番号をＪ、クライアントマシン１におけるアプリケーションのポート番号をＫとする。
【００２９】
クライアントマシン１がサーバマシン１２に対してサービス要求を開始すると、無線ＬＡＮカード２は、ポート番号としてＫ１およびＫ２を定義し、パケットの宛先ポート番号がＫ１ならばＩＲ送信インタフェース９を選択するように、また、宛先ポート番号がＫ２ならばＲＦ送受信インタフェース８を選択するように無線アクセス装置７内のポート番号・インタフェース対応表に登録する。なお、アプリケーションが複数のポートを使用する場合は、各ポート毎にインタフェースに対応したポート番号の定義・登録を行う。
【００３０】
以上の処理を完了すると、クライアントマシン１からサーバマシン１２に向けてパケットの送信が開始される。このパケットのネットワーク層およびトランスポート層ヘッダは、次のようになる。
宛先ＩＰアドレス：Ｍ
送信元ＩＰアドレス：Ｎ
宛先ポート番号：Ｊ
送信元ポート番号：Ｋ
【００３１】
無線ＬＡＮカード２におけるポート番号変換回路４は、クライアントマシン１から受け取ったパケットのヘッダを次のように変換して無線アクセス装置７に送信する。
宛先ＩＰアドレス：Ｍ
送信元ＩＰアドレス：Ｎ
宛先ポート番号：Ｊ
送信元ポート番号：Ｋ１
【００３２】
無線アクセス装置７は、ＬＡＮ／ＷＡＮを介してパケットをサーバマシン１２に送信する。
【００３３】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【００３４】
無線アクセス装置７における送信インタフェース切替回路１１は、ポート番号・インタフェース対応表を参照し、パケットの宛先ポート番号がＫ１なので、ＩＲ送信インタフェース９を用いて無線ＬＡＮカード２に送信する。
【００３５】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００３６】
障害物などによりＩＲを使って無線アクセス装置７から正常にデータが受信できない場合には、無線ＬＡＮカード２におけるポート番号変換回路４は、パケットのヘッダを次のように変換して無線アクセス装置７に送信する。
宛先ＩＰアドレス：Ｍ
送信元ＩＰアドレス：Ｎ
宛先ポート番号：Ｊ
送信元ポート番号：Ｋ２
【００３７】
無線アクセス装置７は、ＬＡＮ／ＷＡＮを介してパケットをサーバマシン１２に送信する。
【００３８】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【００３９】
無線アクセス装置７における送信インタフェース切替回路１１は、ポート番号・インタフェース対応表を参照し、パケットの宛先ポート番号がＫ２なので、ＲＦ受信インタフェース８を用いて無線ＬＡＮカード２にパケットを送信する。
【００４０】
無線ＬＡＮカード２におけるポート番号変挽回路４は、ＲＦ送受信インタフェース５を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００４１】
以上説明した実施例１においては、ＩＲインタフェースおよびＲＦインタフェースが無線ＬＡＮカード２および無線アクセス装置７のそれぞれに１式だけ搭載されている例を示したが、これらを複数搭載した構成も可能である。
【実施例２】
【００４２】
図２は、本発明の実施例２に係る無線通信装置を用いた通信システムの一例を示す図である。
【００４３】
図２に示すように、クライアントマシン１には、無線ＬＡＮカード２が接続されている。
無線ＬＡＮカード２は、クライアントマシン１との間でパケットの送受を行うコンピュータインタフェース３と、無線アクセス装置７との間でパケットの送受を行うＲＦ送受信インタフェース５およびＩＲ受信インタフェース６を具備している。
【００４４】
無線アクセス装置７は、無線ＬＡＮカード２との間でパケットの送受を行うＲＦ送受信インタフェース８および  ＩＲ送信インタフェース９と、ＬＡＮ／ＷＡＮへの接続を行うネットワークインタフェース１０と、を具備している。
【００４５】
また、無線アクセス装置７は、宛先ポート番号に応じてパケットの送信インタフェースの切替えを行う送信インタフェース切替回路１１を具備している。
【００４６】
ここで、サーバマシン１２のＩＰアドレスをＭ、クライアントマシン１のＩＰアドレスをＮとする。また、サーバマシン１２におけるアプリケーションのポート番号をＪとする。
【００４７】
クライアントマシン１には、ポート番号管理ソフトェア１３がインストールされている。ポート番号管理ソフトェア１３は、クライアントマシン１がサーバマシン１２に対してサービス要求を開始すると、ポート番号としてＫ１およびＫ２を定義し、パケットの宛先ポート番号がＫ１ならばＩＲ送信インタフェース９を選択するように、また、宛先ポート番号がＫ２ならばＲＦ送受信インタフェース８を選択するように、無線アクセス装置７内のポート番号・インタフェース対応表に登録する。なお、アプリケーションが複数のポートを使用する場合は、各ポートにインタフェースに対応したポート番号の定義・登録を行う。                                                      
【００４８】
以上の処理が完了すると、クライアントマシン１からサーバマシン１２に向けてパケットの送信が開始される。このパケットのネットワーク層およびトランスポート層ヘッダは次のようになる。
宛先ＩＰアドレス：Ｍ
送信元ＩＰアドレス：Ｎ
宛先ポート番号：Ｊ
送信元ポート番号：Ｋ１
【００４９】
無線ＬＡＮカード２は、クライアントマシン１から受け取ったパケットをＲＦ送受信インタフェース５を用いて無線アクセス装置７に送信する。
【００５０】
無線アクセス装置７は、ＬＡＮ／ＷＡＮを介してパケットをサーバマシン１２に送信する。
【００５１】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【００５２】
無線アクセス装置７におけるインタフェース切替回路１１は、ポート番号・インタフェース対応表を参照し、パケットの宛先ポート番号がＫ１なので、ＩＲ送信インタフェース９を用いて無線ＬＡＮカード２に送信する。
【００５３】
無線ＬＡＮカード２は、ＩＲ受信インタフェース６を用いて受信したパケットをクライアントマシン１に受け渡す。
【００５４】
クライアントマシン１におけるポート番号管理ソフトェア１３は、障害物などによりＩＲを使って無線アクセス装置７から正常にデータが受信できない場合、パケットのヘッダを次のように変更してサーバマシン１２に送信する。
宛先ＩＰアドレス：Ｍ
送信元ＩＰアドレス：Ｎ                    
宛先ポート番号：Ｊ
送信元ポート番号：Ｋ２
【００５５】
無線ＬＡＮカード２は、クライアントマシン１から受け取ったパケットをＲＦ送受信インタフェース５を用いて無線アクセス装置７に送信する。
【００５６】
無線アクセス装置７は、ＬＡＮ／ＷＡＮを介してパケットをサーバマシン１２に送信する。クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【００５７】
無線アクセス装置７における送信インタフェース切替回路１１は、ポート番号・インタフェース対応表を参照し、パケットの宛先ポート番号がＫ２なので、ＲＦ受信インタフェース８を用いてパケットを無線ＬＡＮカード２に送信する。
【００５８】
無線ＬＡＮカード２は、ＲＦ送受信インタフェース５を用いて受信したパケットをクライアントマシン１に受け渡す。
【００５９】
以上説明した実施例２においては、ＩＲインタフェースおよびＲＦインタフェースが無線ＬＡＮカード２および無線アクセス装置７のそれぞれに１式だけ搭載されている例を示したが、これらを複数搭載した構成も可能である。
【実施例３】
【００６０】
図３は、本発明の実施例３に係る無線通信装置を用いた通信システムの一例を示す図である。
【００６１】
図３に示すように、クライアントマシン１には無線ＬＡＮカード２が接続されている。
無線ＬＡＮカード２は、クライアントマシン１との間でパケットの送受を行うコンピュータインタフェース３と、無線アクセス装置７および７’との間でパケットの送受を行うＲＦ送受信インタフェース５およびＩＲ受信インタフェース６と、を具備している。
【００６２】
また、無線ＬＡＮカード２は、クライアントマシン１から送信されたパケットの送信元ポート番号の変換、および無線アクセス装置７あるいは７’から受信したパケットの宛先ポート番号の変挽を行うポート番号変換回路４を具備している。
【００６３】
無線アクセス装置７は、無線ＬＡＮカード２との間でパケットの送受を行うＲＦ送受信インタフェース８および  ＩＲ送信インタフェース９と、ＬＡＮ／ＷＡＮへの接続を行うネットワークインタフェース１０と、を具備している。
【００６４】
また、無線アクセス装置７は、宛先ポート番号に応じてパケットの送信インタフェースの切替えを行う送信インタフェース切替回路１１を具備している。
【００６５】
無線アクセス装置７’は、無線アクセス装置７’からパケットを受信するネットワークインタフェース１０’と、無線ＬＡＮカード２にパケットを送信するＩＲ送信インタフェース９’と、具備している。
【００６６】
ここで、サーバマシン１２のＩＰアドレスをＭ、クライアントマシン１のＩＰアドレスをＮする。また、サーバマシン１２におけるアプリケーションのポート番号をＪ、クライアントマシン１におけるアプリケーションのポート番号をＫとする。
【００６７】
クライアントマシン１がサーバマシン１２に対してサービス要求を開始すると、無線ＬＡＮカード２は、ポート番号としてＫ１、Ｋ２、及びＫ３を定義し、パケットの宛先ポート番号がＫ１ならばＩＲ送信インタフェース９を選択するように、また、宛先ポート番号がＫ２ならばＲＦ送受信インタフェース８を選択するように、また、宛先ポート番号がＫ３ならば無線アクセス装置７’のＩＲ送信インタフェース９’を選択するように、無線アクセス装置７内のポート番号・インタフェース対応表に登録する。なお、アプリケーションが複数のポートを使用する場合は、各ポートにインタフェースに対応したポート番号の定義・登録を行う。
【００６８】
以上の処理が完了すると、クライアントマシン１からサーバマシン１２に向けてパケットの送信が開始される。このパケットのネットワーク層およびトランスポート層ヘッダは次のようになる。
宛先ＩＰアドレス：Ｍ
送信元ＩＰアドレス：Ｎ
宛先ポート番号：Ｊ
送信元ポート番号：Ｋ
【００６９】
無線ＬＡＮカード２におけるポート番号変換回路４は、クライアントマシン１から受け取ったパケットのヘッダを次のように変換して無線アクセス装置７に送信する。
宛先ＩＰアドレス：Ｍ
送信元ＩＰアドレス：Ｎ
宛先ポート番号：Ｊ
送信元ポート番号：Ｋ１
【００７０】
無線アクセス装置７は、ＬＡＮ／ＷＡＮを介してパケットをサーバマシン１２に送信する。
【００７１】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【００７２】
無線アクセス装置７におけるインタフェース切替回路１１は、ポート番号・インタフェース対応表を参照し、パケットの宛先ポート番号がＫ１なので、ＩＲ送信インタフェース９を用いて無線ＬＡＮカード２に送信する。
【００７３】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００７４】
無線ＬＡＮカード２におけるポート番号変換回路４は、障害物などによりＩＲを使って無線アクセス装置７から正常にデータが受信できない場合、パケットのヘッダを次のように変換して無線アクセス装置７に送信する。
宛先ＩＰアドレス：Ｍ
送信元ＩＰアドレス：Ｎ
宛先ポート番号：Ｊ
送信元ポート番号：Ｋ３
【００７５】
無線アクセス装置７は、ＬＡＮ／ＷＡＮを介してパケットをサーバマシン１２に送信する。クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ３
送信元ポート番号：Ｊ
【００７６】
無線アクセス装置７における送信インタフェース切替回路１１は、ポート番号・インタフェース対応表を参照し、パケットの宛先ポート番号がＫ３なので、パケットを無線アクセス装置７’に転送する。
【００７７】
無線アクセス装置７’は、無線アクセス装置７からパケットを受け取り、ＩＲ送信インタフェース９’を用いて無線ＬＡＮカード２に送信する。
【００７８】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００７９】
無線ＬＡＮカード２におけるポート番号変換回路４は、障害物などにより無線アクセス装置７からも無線アクセス装置７’からもＩＲを使って正常にデータが受信できない場合、パケットのヘッダを次のように変挽して無線アクセス装置７に送信する。
宛先ＩＰアドレス：Ｍ
送信元ＩＰアドレス：Ｎ
宛先ポート番号：Ｊ
送信元ポート番号：Ｋ２
【００８０】
無線アクセス装置７は、ＬＡＮ／ＷＡＮを介してパケットをサーバマシン１２に送信する。クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【００８１】
無線アクセス装置７における送信インタフェース切替回路１１は、ポート番号・インタフェース対応表を参照し、パケットの宛先ポート番号がＫ２なので、ＲＦ受信インタフェース８を用いて無線ＬＡＮカード２に送信する。
【００８２】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００８３】
以上説明した実施例３においては、無線アクセス装置７と無線アクセス装置７’との２台を用いた例を示したが、これらを３台以上にした構成も可能である。
【実施例４】
【００８４】
図４は、本発明の実施例４に係る無線通信装置を用いた通信システムの一例を示す図である。
【００８５】
図４に示すように、クライアントマシン１には無線ＬＡＮカード２が接続されている。
無線ＬＡＮカード２は、クライアントマシン１との問でパケットの送受を行うコンピュータインタフェース３と、無線アクセス装置７との間でパケットの送受を行うＲＦ送受信インタフェース５およびＩＲ受信インタフェース６と、を具備している。
【００８６】
また、無線ＬＡＮカード２は、クライアントマシン１から送信されたパケットの送信元ＩＰアドレスの変挽および無線アクセス装置７から受信したパケットの宛先ＩＰアドレスの変換を行うＩＰアドレス変換回路４’を具備している。
【００８７】
無線アクセス装置７は、無線ＬＡＮカード２との間でパケットの送受を行うＲＦ受信インタフェース８およびＩＲ送信インタフェース９と、ＬＡＮ／ＷＡＮへの接続を行うネットワークインタフェース１０と、を具備している。
【００８８】
また、無線アクセス装置７は、宛先ＩＰアドレスに応じてパケットの送信インタフェースの切替えを行う送信インタフェース切替回路１１を具備している。
【００８９】
ここで、サーバマシン１２のＩＰアドレスをＭ、クライアントマシン１のＩＰアドレスをＮする。また、サーバマシン１２におけるアプリケーションのポート番号をＪ、クライアントマシン１におけるアプリケーションのポート番号をＫとする。
【００９０】
無線ＬＡＮカード２は、ＩＰアドレスとしてＮ１およびＮ２を定義し、パケットの宛先ＩＰアドレスがＮ１ならばＩＲ送信インタフェース９を選択するように、宛先ＩＰアドレスがＮ２ならばＲＦ送受信インタフェース８を選択するように、無線アクセス装置７内のＩＰアドレス・インタフェース対応表に登録する。
【００９１】
以上の処理が完了すると、クライアントマシン１からサーバマシン１２に向けてパケットの送信が開始される。このパケットのネットワーク層およびトランスポート層ヘッダは次のようになる。
宛先ＩＰアドレス：Ｍ
送信元ＩＰアドレス：Ｎ
宛先ポート番号：Ｊ
送信元ポート番号：Ｋ
【００９２】
無線ＬＡＮカード２におけるポート番号変換回路４は、クライアントマシン１から受け取ったパケットのヘッダを次のように変換して無線アクセス装置７に送信する。
宛先ＩＰアドレス：Ｍ
送信元ＩＰアドレス：Ｎ１
宛先ポート番号：Ｊ
送信元ポート番号：Ｋ
【００９３】
無線アクセス装置７は、ＩＰアドレス・ポート番号変換回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ１
【００９４】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【００９５】
無線アクセス装置７におけるＩＰアドレス・ポート番号変換回路１４は、サーバマシン１２から受信したパケットのヘッダを次のように変換する。
宛先ＩＰアドレス：Ｎ１
送信元ＩＰアドレス：Ｍ
宛先ポート番号：Ｋ
送信元ポート番号：Ｊ
【００９６】
送信インタフェース切替回路１１は、ＩＰアドレス・インタフェース対応表を参照し、パケットの宛先ＩＰアドレスがＮ１なので、ＩＲ送信インタフェース９を用いて無線ＬＡＮカード２に送信する。
【００９７】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【００９８】
障害物などによりＩＲを使って無線アクセス装置７から正常にデータが受信できない場合には、無線ＬＡＮカード２におけるＩＰアドレス変換回路４’は、パケットのヘッダを次のように変換して無線アクセス装置７に送信する。
宛先ＩＰアドレス：Ｍ
送信元ＩＰアドレス：Ｎ２
宛先ポート番号：Ｊ
送信元ポート番号：Ｋ
【００９９】
無線アクセス装置７は、ＩＰアドレス・ポート番号変換回路１４によって無線ＬＡＮカード２から受信したパケットのヘッダを次のように変挽してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ２
【０１００】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【０１０１】
無線アクセス装置７におけるＩＰアドレス・ポート番号変換回路１４は、サーバマシン１２から受信したパケットのヘッダを次のように変換する。
宛先ＩＰアドレス：Ｎ２
送信元ＩＰアドレス：Ｍ
宛先ポート番号：Ｋ
送信元ポート番号：Ｊ
【０１０２】
送信インタフェース切替回路１１は、ＩＰアドレス・インタフェース対応表を参照し、パケットの宛先ＩＰアドレスがＮ２なので、ＲＦ送受信インタフェース８を用いて無線ＬＡＮカード２に送信する。
【０１０３】
無線ＬＡＮカード２におけるポート番号変換回路４は、ＲＦ送受信インタフェース５を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【０１０４】
以上説明した実施例４においては、ＩＲインタフェースおよびＲＦインタフェースが無線ＬＡＮカード２および無線アクセス装置７のそれぞれに１式だけ搭載されている例を示したが、これらを複数搭載した構成も可能である。
【実施例５】
【０１０５】
図５は、本発明の実施例５に係る無線通信装置を用いた通信システム一例を示す図である。
【０１０６】
図５に示すように、クライアントマシン１には無線ＬＡＮカード２が接続されている。無線ＬＡＮカード２は、クライアントマシン１との間でパケットの送受を行うコンピュータインタフェース３と、無線アクセス装置７との間でパケットの送受を行うＲＦ受信インタフェース５およびＩＲ受信インタフェース６と、を具備している。
【０１０７】
無線アクセス装置７は、無線ＬＡＮカード２との間でパケットの送受を行うＲＦ送受信インタフェース８およびＩＲ送信インタフェース９と、ＬＡＮ／ＷＡＮへの接続を行うネットワークインタフェース１０と、を具備している。
【０１０８】
また、無線アクセス装置７は、宛先ＩＰアドレスに応じてパケットの送信インタフェースの切替えを行う送信インタフェース切替回路１１を具備している。
【０１０９】
ここで、サーバマシン１２のＩＰアドレスをＭ、また、サーバマシン１２におけるアプリケーションのポート番号をＪとする。
【０１１０】
クライアントマシン１には、ＩＰアドレス管理ソフトェア１３’がインストールされている。ＩＰアドレス管理ソフトェア１３’は、ＩＰアドレスとしてＮ１およびＮ２を定義し、パケットの宛先ＩＰアドレスがＮ１ならばＩＲ送信インタフェース９を選択するように、宛先ＩＰアドレスがＮ２ならばＲＦ送受信インタフェース８を選択するように、無線アクセス装置７内のＩＰアドレス・インタフェース対応表に登録する。
【０１１１】
以上の処理が完了すると、クライアントマシン１からサーバマシン１２に向けてパケットの送信が開始される。このパケットのネットワーク層およびトランスポート層ヘッダは次のようになる。
宛先ＩＰアドレス：Ｍ
送信元ＩＰアドレス：Ｎ１
宛先ポート番号：Ｊ
送信元ポート番号：Ｋ
【０１１２】
無線ＬＡＮカード２は、クライアントマシン１から受け取ったパケットをＲＦ送受信インタフェース５を用いて無線アクセス装置７に送信する。
【０１１３】
無線アクセス装置７は、ＩＰアドレス・ポート番号変挽回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ１
【０１１４】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【０１１５】
無線アクセス装置７におけるＩＰアドレス・ポート番号変換回路１４は、サーバマシン１２から受信したパケットのヘッダを次のように変換する。
宛先ＩＰアドレス：Ｎ１
送信元ＩＰアドレス：Ｍ
宛先ポート番号：Ｋ
送信元ポート番号：Ｊ
【０１１６】
インタフェース切替回路１１は、ＩＰアドレス・インタフェース対応表を参照し、パケットの宛先ＩＰアドレスがＮ１なので、ＩＲ送信インタフエース９を用いて無線ＬＡＮカード２に送信する。
【０１１７】
無線ＬＡＮカード２は、ＩＲ受信インタフェース６を用いて受信したパケットをクライアントマシン１に受け渡す。
【０１１８】
障害物などによりＩＲを使って無線アクセス装置７から正常にデータが受信できない場合には、クライアントマシン１におけるＩＰアドレス管理ソフトェア１３’は、パケットのヘッダを次のように変更してサーバマシン１２に送信する。
宛先ＩＰアドレス：Ｍ
送信元ＩＰアドレス：Ｎ２
宛先ポート番号：Ｊ
送信元ポート番号：Ｋ
【０１１９】
無線ＬＡＮカード２は、クライアントマシン１から受け取ったパケットをＲＦ受信インタフェース５を用いて無線アクセス装置７に送信する。
【０１２０】
無線アクセス装置７は、ＩＰアドレス・ポート番号変換回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ２
【０１２１】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【０１２２】
無線アクセス装置７におけるＩＰアドレス・ポート番号変換回路１４は、サーバマシン１２から受信したパケットのヘッダを次のように変換する。
宛先ＩＰアドレス：Ｎ２
送信元ＩＰアドレス：Ｍ
宛先ポート番号：Ｋ
送信元ポート番号：Ｊ
【０１２３】
送信インタフェース切替回路１１は、ＩＰアドレス・インタフェース対応表を参照し、パケットのＩＰアドレスがＮ２なので、ＲＦ送受信インタフェース８を用いて無線ＬＡＮカード２に送信する。
【０１２４】
無線ＬＡＮカード２は、ＲＦ送受信インタフェース５を用いて受信したパケットをクライアントマシン１に受け渡す。
【０１２５】
以上説明した実施例５において、ＩＲインタフェースおよびＲＦインタフェースが無線ＬＡＮカード２および無線アクセス装置７のそれぞれに１式だけ搭載されている例を示したが、これらを複数搭載した構成も可能である。
【実施例６】
【０１２６】
図６は、本発明の実施例４に係る無線通信装置を用いた通信システムの一例を示す図である。
【０１２７】
図６に示すように、クライアントマシン１には無線ＬＡＮカード２が接続されている。無線ＬＡＮカード２は、クライアントマシン１との間でパケットの送受を行うコンピュータインタフェース３と、無線アクセス装置７および７’との間でパケットの送受を行うＲＦ送受信インタフェース５およびＩＲ受信インタフェース６と、具備している。
【０１２８】
また、無線ＬＡＮカード２は、クライアントマシン１から送信されたパケットの送信元ＩＰアドレスの変換および無線アクセス装置７あるいは７’から受信したパケットの宛先ＩＰアドレスの変換を行うＩＰアドレス変換回路４’を具備している。
【０１２９】
無線アクセス装置７は、無線ＬＡＮカード２との間でパケットの送受を行うＲＦ送受信インタフェース８およびＩＲ送信インタフェース９と、ＬＡＮ／ＷＡＮへの接続を行うネットワークインタフェース１０と、具備している。
【０１３０】
また、無線アクセス装置７は、宛先ＩＰアドレスに応じてパケットの送信インタフェースの切替えを行う送信インタフェース切替回路１１を具備している。
【０１３１】
無線アクセス装置７’は、無線アクセス装置７’からパケットを受信するネットワークインタフェース１０’と、無線ＬＡＮカード２にパケットを送信するＩＲ送信インタフェース９’と、を具備している。
【０１３２】
ここで、サーバマシン１２のＩＰアドレスをＭ、クライアントマシン１のＩＰアドレスをＮする。また、サーバマシン１２におけるアプリケーションのポート番号をＪ、クライアントマシン１におけるアプリケーションのポート番号をＫとする。
【０１３３】
無線ＬＡＮカード２は、ＩＰアドレスとしてＮ１、Ｎ２、およびＮ３を定義し、パケットの宛先ＩＰアドレスがＮ１ならばＩＲ送信インタフェース９を選択するように、宛先ＩＰアドレスがＫ２ならばＲＦ送受信インタフェース８を選択するように、宛先ＩＰアドレスがＫ３ならば無線アクセス装置７’のＩＲ送信インタフェース９’を選択するように、無線アクセス装置７内のＩＰアドレス・インタフェース対応表に登録する。
【０１３４】
以上の処理が完了すると、クライアントマシン１からサーバマシン１２に向けてパケットの送信が開始される。このパケットのネットワーク層およびトランスポート層ヘッダは次のようになる。
宛先ＩＰアドレス：Ｍ
送信元ＩＰアドレス：Ｎ
宛先ポート番号：Ｊ
送信元ポート番号：Ｋ
【０１３５】
無線ＬＡＮカード２におけるＩＰアドレス変換回路４は、クライアントマシン１から受け取ったパケットのヘッダを次のように変換して無線アクセス装置７に送信する。
宛先ＩＰアドレス：Ｍ
送信元ＩＰアドレス：Ｎ１
宛先ポート番号：Ｊ
送信元ポート番号：Ｋ
【０１３６】
無線アクセス装置７は、ＩＰアドレス・ポート番号変換回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ１
【０１３７】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ１
送信元ポート番号：Ｊ
【０１３８】
無線アクセス装置７におけるＩＰアドレス・ポート番号変挽回路１４は、サーバマシン１２から受信したパケットのヘッダを次のように変換する。
宛先ＩＰアドレス：Ｎ１
送信元ＩＰアドレス：Ｍ
宛先ポート番号：Ｋ
送信元ポート番号：Ｊ
【０１３９】
インタフェース切替回路１１は、ＩＰアドレス・インタフェース対応表を参照し、パケットの宛先ＩＰアドレスがＮ１なので、ＩＲ送信インタフェース９を用いて無線ＬＡＮカード２に送信する。
【０１４０】
無線ＬＡＮカード２におけるＩＰアドレス変換回路４’は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【０１４１】
障害物などによりＩＲを使って無線アクセス装置７から正常にデータが受信できない場合には、無線ＬＡＮカード２におけるＩＰアドレス変換回路４’は、パケットのヘッダを次のように変換して無線アクセス装置７に送信する。
宛先ＩＰアドレス：Ｍ
送信元ＩＰアドレス：Ｎ３
宛先ポート番号：Ｊ
送信元ポート番号：Ｋ
【０１４２】
無線アクセス装置７は、ＩＰアドレス・ポート番号変換回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ３
【０１４３】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ３
送信元ポート番号：Ｊ
【０１４４】
無線アクセス装置７におけるＩＰアドレス・ポート番号変換回路１４は、サーバマシン１２から受信したパケットのヘッダを次のように変換する。
宛先ＩＰアドレス：Ｎ３
送信元ＩＰアドレス：Ｍ
宛先ポート番号：Ｋ
送信元ポート番号：Ｊ
【０１４５】
送信インタフェース切替回路１１は、ＩＰアドレス・インタフェース対応表を参照し、パケットの宛先ＩＰアドレスがＮ３なので、パケットを無線アクセス装置７’に転送する。
【０１４６】
無線アクセス装置７’は、無線アクセス装置７からパケットを受け取り、ＩＲ送信インタフェース９’を用いて無線ＬＡＮカード２に送信する。
【０１４７】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【０１４８】
障害物などにより無線アクセス装置７からも無線アクセス装置７’からもＩＲを使って正常にデータが受信できない場合には、無線ＬＡＮカード２におけるＩＰアドレス変換回路４’は、パケットのヘッダを次のように変換して無線アクセス装置７に送信する。
宛先ＩＰアドレス：Ｍ
送信元ＩＰアドレス：Ｎ２
宛先ポート番号：Ｊ
送信元ポート番号：Ｋ
【０１４９】
無線アクセス装置７は、ＩＰアドレス・ポート番号変換回路１４によって無線ＬＡＮカード２から受信したパケットのヘッダを次のように変換してＬＡＮ／ＷＡＮを介してパケットをサーバマシン１２に送信する。
宛先ＩＰアドレス：Ｍ
送信元ＩＰアドレス：Ｎ
宛先ポート番号：Ｊ
送信元ポート番号：Ｋ２
【０１５０】
クライアントマシン１からのパケットを受信したサーバマシン１２は、クライアントマシン１に向けてパケットを送信する。このパケットのネットワーク層およびトランスポート層ヘッダは次のようになる。
宛先ＩＰアドレス：Ｎ
送信元ＩＰアドレス：Ｍ
宛先ポート番号：Ｋ２
送信元ポート番号：Ｊ
【０１５１】
無線アクセス装置７におけるＩＰアドレス・ポート番号変換回路１４は、サーバマシン１２から受信したパケットのヘッダを次のように変換する。
宛先ＩＰアドレス：Ｎ２
送信元ＩＰアドレス：Ｍ
宛先ポート番号：Ｋ
送信元ポート番号：Ｊ
【０１５２】
送信インタフェース切替回路１１は、ＩＰアドレス・インタフェース対応表を参照し、パケットの宛先ＩＰアドレスがＮ２なので、ＲＦ送受信インタフェース８を用いて無線ＬＡＮカード２に送信する。
【０１５３】
無線ＬＡＮカード２におけるポート番号変換回路４は、ＩＲ受信インタフェース６を用いて受信したパケットのヘッダを次のように変換してクライアントマシン１に受け渡す。
宛先ＩＰアドレス：Ｎ
送信元ＩＰアドレス：Ｍ
宛先ポート番号：Ｋ
送信元ポート番号：Ｊ
【０１５４】
以上説明した実施例６においては、無線アクセス装置７と無線アクセス装置７’との２台を用いた例を示したが、これらを３台以上にした構成も可能である。
【０１５５】
以上説明したように、本発明の実施の形態によれば、あるインタフェースを用いた通信に障害が発生した時、端末側（クライアントマシンあるいは無線ＬＡＮカード）において、パケットのトランスポート層ヘッダにおけるポート番号あるいはネットワーク層ヘッダにおけるＩＰアドレスを切り替えることにより、障害が発生したインタフェースから障害が発生していない別のインタフェースヘの切り替えを容易に行うことができる。したがって、本発明の実施の形態によれば、無線通信において生じた通信障害を容易に回避することができる。
【図面の簡単な説明】
【０１５６】
【図１】本発明の実施例１に係る無線通信装置を用いた通信システムの一例を示す図である。
【図２】本発明の実施例２に係る無線通信装置を用いた通信システムの一例を示す図である。
【図３】本発明の実施例３に係る無線通信装置を用いた通信システムの一例を示す図である。
【図４】本発明の実施例４に係る無線通信装置を用いた通信システムの一例を示す図である。
【図５】本発明の実施例５に係る無線通信装置を用いた通信システムの一例を示す図である。
【図６】本発明の実施例６に係る無線通信装置を用いた通信システムの一例を示す図である。
【符号の説明】
【０１５７】
１    クライアントマシン
２    無線ＬＡＮカード
３    コンピュータインタフェース
４    ポート番号変換回路
４’  ＩＰアドレス変挽回路
５    ＲＦ受信インタフェース
６    ＩＲ受信インタフェース
７    無線アクセス装置
７’  無線アクセス装置
８    ＲＦ送受信インタフェース
９    ＩＲ送信インタフェース
９’  ＩＲ送信インタフェース
１０    ネットワークインタフェース
１０’  ネットワークインタフェース
１１    送信インタフェース切替回路
１２    サーバマシン
１３    ポート番号管理ソフトェア
１３’  ＩＰアドレス管理ソフトェア
【図１】
2005086720.tif 000003
【図２】
2005086720.tif 000004
【図３】
2005086720.tif 000005
【図４】
2005086720.tif 000006
【図５】
2005086720.tif 000007
【図６】
2005086720.tif 000008